【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
電力源と、
該電力源に連結される光源と、
光を反射し、開口第１端部と、第２端部と、該第１端部と該第２端部との間に延在する放物線状輪郭面とを備える反射器と、
前記光源の光が前記反射器で反射されるように前記反射器に対して前記光源を保持する保持部と、
前記電力源に連結される電流調整回路と
を備え、
該放物線状輪郭面の焦点が、前記放物線状輪郭面の外側に位置し、
前記電流調整回路が、熱調整を行う電流を前記光源に伝達する、照明装置。
【請求項２】
前記光源と前記反射器との相対的な位置が、移動可能である、請求項１に記載の照明装置。
【請求項３】
前記開口第１端部が、前記第２端部より大きく構成され、
前記放物線状輪郭面の頂点から前記第２端部までの距離と前記放物線状輪郭面の頂点から焦点までの距離との比率が、１．５：１以上である、請求項１に記載の照明装置。
【請求項４】
前記開口第１端部が、前記第２端部より大きく構成され、
前記放物線状輪郭面の頂点から前記第２端部までの距離と前記放物線状輪郭面の頂点から焦点までの距離との比率が、６．５：１以下である、請求項１に記載の照明装置。
【請求項５】
前記開口第１端部が、前記第２端部より大きく構成され、
前記放物線状輪郭面の頂点から前記第２端部までの距離と前記放物線状輪郭面の頂点から焦点までの距離との比率が、３．０：１から３．４：１までである、請求項１に記載の照明装置。
【請求項６】
前記開口第１端部が、前記第２端部より大きく構成され、
前記放物線状輪郭面の頂点から前記第２端部までの距離と前記放物線状輪郭面の頂点から焦点までの距離との比率が、３．２：１である、請求項１に記載の照明装置。
【請求項７】
前記放物線状輪郭面が、前記反射器の軸線を基準にした放物線状輪郭面の半径を表すｒと、前記放物線状輪郭面の放物線の焦点から頂点までの距離を表し、０．０３５インチとしたｆと、前記反射器の軸線上における距離を表すｚとで構成された方程式ｒ２＝４ｆｚからなる放物線形で構成される、請求項１に記載の照明装置。
【請求項８】
前記光源が、ＬＥＤランプで構成される、請求項１に記載の照明装置。
【請求項９】
前記ＬＥＤランプが、実質的に１８０°以下の角度で光を拡散する、請求項８に記載の照明装置。
【請求項１０】
主ハウジングに連結されるヘッドアセンブリをさらに備え、
前記反射器が、前記ヘッドアセンブリに連結され、
前記主ハウジングが、前記電力源を収容し、
前記主ハウジングに対して前記ヘッドアセンブリを回転することで、前記電力源と前記光源との間の電気回路が開閉する、請求項１に記載の照明装置。
【請求項１１】
主ハウジングと電気回路とをさらに備え、
該電気回路が、放熱ハウジングを備え、
該放熱ハウジングが、前記光源を保持し、前記光源を前記主ハウジングに熱伝導可能に連結する、請求項１に記載の照明装置。
【請求項１２】
前記放熱ハウジングが、前記光源を前記主ハウジングに電気的に連結する、請求項１１に記載の照明装置。
【請求項１３】
前記電流調整回路が、前記光源にパルス電流を伝達する、請求項１に記載の照明装置。
【請求項１４】
前記電流調整回路が、パルス発生器と、電源スイッチと、感温抵抗器とを備える、請求項１３に記載の照明装置。
【請求項１５】
熱調整を行うパルス電流信号を前記光源に伝達する手段をさらに備える、請求項１に記載の照明装置。
【請求項１６】
端キャップと、主ハウジングと、電力源アセンブリとをさらに備え
前記端キャップが、前記主ハウジングに取り付けられ、
前記主ハウジングが、前記電力源アセンブリを保持し、
前記電力源アセンブリが、前記電力源を保持し、前記電力源を前記主ハウジングに電気的に連結して、前記端キャップを介することなく導電する、請求項１に記載の照明装置。
【請求項１７】
携帯型電力源と、
１８０°以下の球面角度で略放射状に光を照射し、前記携帯型電力源に連結されるＬＥＤランプと、
該ＬＥＤランプで照射した光を反射する放物線状反射器と
を備え、
該放物線状反射器が、開口第１端部と、開口第２端部と、前記２つの端部の間を延在する軸部とを備え、
前記放物線状反射器の焦点が、前記開口第１端部と前記開口第２端部との間に位置せず、
前記焦点の長さが、０．０２０インチから０．０５０インチまでであり、
前記開口第１端部の直径が、前記開口第２端部の直径より大きく、
前記開口第１端部が、０．７０インチから０．８０インチまでの直径で構成される、懐中電灯。
【請求項１８】
前記放物線状反射器が、放物線形の主軸に対して平行な方向に移動可能である、請求項１７に記載の懐中電灯。
【請求項１９】
携帯型電力源と、
該携帯型電力源に連結され、ＬＥＤとレンズとを備える光源と、
該光源から照射した光を反射して高輝質のビーム光を作り出す移動可能な放物線状反射器と
を備え、
前記レンズが、前記ＬＥＤの位置に対して１８０°以下の角度で前記光源から光を実質的に照射するように、ＬＥＤ上に配置され、
前記放物線状反射器が、開口第１端部と、開口第２端部と、該開口第１端部と該開口第２端部との間を延在する放物線状輪郭面とを備え、
放物線形の焦点が、該放物線状輪郭面の外側に位置し、
前記放物線形の焦点の長さが、０．０２０インチから０．０５０インチまでであり、
前記開口第１端部の直径が、前記開口第２端部の直径より大きく、
前記放物線状輪郭面の頂点から前記開口第２端部までの距離と前記放物線状輪郭面の頂点から焦点までの距離との比率が、３：１以上である、懐中電灯。
【請求項２０】
前記放物線状反射器が、放物線形の主軸に対して平行な方向に移動可能である、請求項１９に記載の懐中電灯。
【請求項２１】
前記光源に熱伝導可能に連結されるヒートシンクをさらに備える、請求項１９に記載の懐中電灯。
【請求項２２】
電力源と、
該電力源に連結されるＬＥＤ光源と、
該ＬＥＤ光源から照射した光を反射し、開口第１端部と、開口第２端部と、該開口第１端部と該開口第２端部との間を延在する放物線状輪郭面とを備える反射器と、
前記ＬＥＤ光源に連結される電流調整回路と
を備え、
前記開口第１端部が、ビーム光を放つように構成され、
前記放物線状輪郭面の焦点が、前記開口第１端部と前記開口第２端部との間に位置せず、
前記電流調整回路が、パルス電流を前記ＬＥＤ光源に伝達し、パルス電流のデューティサイクルを前記ＬＥＤ光源に生じた熱の温度に従って調整する、懐中電灯。
【請求項２３】
前記電流調整回路が、パルス発生器と電源スイッチとを備える、請求項２２に記載の懐中電灯。
【請求項２４】
前記パルス発生器が、コンパレータを備える、請求項２３に記載の懐中電灯。
【請求項２５】
前記電源スイッチが、トランジスタで構成される、請求項２３に記載の懐中電灯。
【請求項２６】
前記電流調整回路が、前記ＬＥＤ光源に生じた熱の温度に従ってパルス電流を変調する、請求項２２に記載の懐中電灯。
【請求項２７】
前記電流調整回路が、前記光源に生じた熱を検知する感温抵抗器を備える、請求項２２に記載の懐中電灯。
【請求項２８】
前記感温抵抗器が、サーミスタで構成される、請求項２７に記載の懐中電灯。
【請求項２９】
携帯型電力源と、
１８０°以下の球面角度で略放射状に光を照射し、前記携帯型電力源に連結されるＬＥＤランプと、
該ＬＥＤランプで照射した光を反射し、開口第１端部と、開口第２端部と、該開口第１端部と該開口第２端部との間を延在する放物線状輪郭面とを備える放物線状反射器と
を備え、
前記放物線状輪郭面が、前記反射器の軸線を基準にした前記放物線状輪郭面の半径を表すｒと、前記放物線状輪郭面の焦点から頂点までの距離を表し、０．０２０インチから０．０４５インチまでとしたｆと、前記反射器の軸線上における距離を表すｚとで構成された方程式ｒ２＝４ｆｚからなる放物線形で構成され、
前記開口第１端部が、前記開口第２端部より大きい直径で構成され、
前記開口第２端部が、０．０２０インチから０．０３０インチまでの直径で構成される、懐中電灯。
【請求項３０】
前記開口第１端部が、前記開口第２端部より大きく構成され、
前記放物線状輪郭面の頂点から前記開口第２端部までの距離と前記放物線状輪郭面の頂点から焦点までの距離との比率が、１．５：１以上である、請求項２９に記載の懐中電灯。
【請求項３１】
前記開口第１端部が、０．７０インチから０．８０インチまでの直径で構成される、請求項３１に記載の懐中電灯。
【請求項３２】
携帯型電力源と、
第１リード線と第２リード線とを備えるＬＥＤランプと、
該第１リード線と前記携帯型電力源とを電気的に連結する放熱ハウジングを備える電気回路と
を備え、
該放熱ハウジングが、前記ＬＥＤランプに熱伝導可能に連結されて、前記ＬＥＤランプに生じる熱を分散させる、懐中電灯。
【請求項３３】
前記携帯型電力源を収容するように構成された主ハウジングをさらに備え、
前記放熱ハウジングが、該主ハウジングに熱伝導可能に連結される、請求項３２に記載の懐中電灯。
【請求項３４】
複数の電力源と、
該複数の電力源を保持するように構成されたハウジングと
を備え、
該ハウジングが、複数の導電体と、第１電極と、第２電極と、外側面とを備え、
該複数の導電体が、電気回路装置に前記複数の電力源を電気的に連結するのに選択的に配置され、
該電気回路装置が、第１接触子と第２接触子とを備え、
該第１接触子が、前記第１電極に連結され、
前記第２接触子が、前記第２電極に連結され、
前記第２電極が、前記ハウジングの前記外側面の周りに配置される、電力源アセンブリ。
【請求項３５】
前記ハウジングが、前記複数の電力源を並列配置した状態で保持するために設けたレセプタクルを備える、請求項３４に記載の電力源アセンブリ。
【請求項３６】
前記複数の電力源が、複数の電池で構成される、請求項３５に記載の電力源アセンブリ。
【請求項３７】
前記電気回路装置が、直列回路で構成される、請求項３４に記載の電力源アセンブリ。
【請求項３８】
前記電気回路装置が、並列回路で構成される、請求項３４に記載の電力源アセンブリ。
【請求項３９】
前記複数の電力源が、複数の電池で構成される、請求項３４に記載の電力源アセンブリ。
【請求項４０】
複数の電力源とハウジングとを備える電力源アセンブリと、
該複数の電力源に連結される光源と、
前記電力源アセンブリを保持するように構成された導電可能な筒体と
を備え、
前記ハウジングが、前記複数の電力源を保持するように構成され、複数の導電体と、第１電極と、第２電極と、外側面とを備え、
該複数の導電体が、電気回路装置に前記複数の電力源を電気的に連結するのに選択的に配置され、
該電気回路装置が、第１接触子と第２接触子とを備え、
該第１接触子が、前記第１電極に連結され、
前記第２接触子が、前記第２電極に連結され、
前記電力源アセンブリの第２電極が、前記ハウジングの前記外側面の周りに配置され、前記筒体に電気的に接触する、照明装置。
【請求項４１】
前記筒体が、前記電力源アセンブリの前記外側面と対応する内側面を備え、
前記電力源アセンブリの前記第２電極が、該内側面に摩擦嵌合する、請求項４０に記載の照明装置。
【請求項４２】
前記光源の光を反射する反射器をさらに備え、
該反射器が、開口第１端部と、第２端部と、該開口第１端部と該第２端部との間に延在する放物線状輪郭面とを備え、
該放物線状輪郭面の焦点が、前記放物線状輪郭面の外側に位置する、請求項４０に記載の照明装置。
【請求項４３】
前記電力源アセンブリの前記ハウジングが、前記複数の電力源を並列配置した状態で保持するために設けたレセプタクルを備える、請求項４０に記載の照明装置。
【請求項４４】
前記電力源アセンブリの電気回路装置が、直列回路で構成される、請求項４０に記載の照明装置。
【請求項４５】
前記電力源アセンブリの電気回路装置が、並列回路で構成される、請求項４０に記載の照明装置。
【請求項４６】
前記複数の電力源が、複数の電池で構成される、請求項４０に記載の照明装置。
【請求項４７】
電力源と、
該電力源に連結される光源と、
該光源の熱の温度を検知するために配置された感温抵抗器と、
該感温抵抗器に連結される電流調整回路と
を備え、
該電流調整回路が、熱調整を行うパルス電流を前記光源に伝達する、照明装置。
【請求項４８】
前記感温抵抗器により検知される前記光源の熱の温度に基づきパルス電流のデューティサイクルを調整することで、パルス電流が熱調整を行う、請求項４７に記載の照明装置。
【請求項４９】
前記光源の熱の温度が上昇した場合、パルス電流のデューティサイクルを下げる、請求項４８に記載の照明装置。
【請求項５０】
前記光源の熱の温度が下降した場合、パルス電流のデューティサイクルを上げる、請求項４８に記載の照明装置。
【請求項５１】
前記光源が、ＬＥＤで構成される、請求項４８に記載の照明装置。
【請求項５２】
前記感温抵抗器が、サーミスタで構成される、請求項４７に記載の照明装置。
【請求項５３】
前記電流調整回路に電気的に連結されるダイオードをさらに備え、
該ダイオードが、前記電力源を反対に取り付けることで生じる電流の逆流を防止する、請求項４７に記載の照明装置。